(57)【要約】【課題】  この発明は、反射板を使用することなく光軸合わせを行うことができる映像伝送システムを提供することを目的とする。【解決手段】  映像信号を非可視光レーザに変換して出力するための送信側モジュールと、送信側モジュールから出力された非可視光レーザを受光して映像信号に変換するための受信側モジュールとを備えた映像伝送システムにおいて、受信側モジュールには、非可視光レーザの受光部の光軸と同一光軸で可視光レーザを出射させる可視光レーザ出力手段が設けられており、送信側モジュールには、非可視光レーザの出射口の周囲に光軸合わせ時において可視光レーザを入射させるべき領域を規定するための印が付けられている。【選択図】  図２
2005109730.tif 000002
【特許請求の範囲】
【請求項１】
映像信号を非可視光レーザに変換して出力するための送信側モジュールと、送信側モジュールから出力された非可視光レーザを受光して映像信号に変換するための受信側モジュールとを備えた映像伝送システムにおいて、
受信側モジュールには、非可視光レーザの受光部の光軸と同一光軸で可視光レーザを出射させる可視光レーザ出力手段が設けられており、送信側モジュールには、非可視光レーザの出射口の周囲に光軸合わせ時において可視光レーザを入射させるべき領域を規定するための印が付けられていることを特徴とする映像伝送システム。
【請求項２】
非可視光レーザの出射口の周囲に光軸合わせ時において可視光レーザを入射させるべき領域を規定するための印は、非可視光レーザの出射口を囲むように付けられた丸印であることを特徴とする請求項１に記載の映像伝送システム。
【請求項３】
映像信号を非可視光レーザに変換して出力するための送信側モジュールと、送信側モジュールから出力された非可視光レーザを受光して映像信号に変換するための受信側モジュールとを備えた映像伝送システムにおける光軸合わせ方法において、
受信側モジュールに、非可視光レーザの受光部の光軸と同一光軸で可視光レーザを出射させる可視光レーザ出力手段を設け、送信側モジュールに、非可視光レーザの出射口の周囲に光軸合わせ時において可視光レーザを入射させるべき領域を規定するための印を付けておき、可視光レーザ出力手段によって可視光レーザを出射させ、印によって規定される領域内に可視光レーザが入射するように、送信側モジュールの非可視光レーザの発光部の光軸を調整することを特徴とする映像伝送システムにおける光軸合わせ方法。
【請求項４】
非可視光レーザの出射口の周囲に光軸合わせ時において可視光レーザを入射させるべき領域を規定するための印は、非可視光レーザの出射口を囲むように付けられた丸印であることを特徴とする請求項３に記載の映像伝送システムにおける光軸合わせ方法。
【発明の詳細な説明】
【技術分野】
【０００１】
この発明は、非可視光レーザを使って映像を無線伝送する映像伝送システムおよび映像伝送システムにおける光軸合わせ方法に関する。
【背景技術】
【０００２】
図１は、非可視光レーザを使って、ＰＣ（映像ソース機器）側から映像を液晶プロジェクタ（映像表示機器）側に無線伝送するシステムを示している。
【０００３】
ＰＣ１側には、ＰＣ１から出力される映像信号を非可視光レーザに変換して出力するための送信側モジュール１０が接続されている。液晶プロジェクタ２側には、送信側モジュール１０から出力された非可視光レーザを受信して映像信号に変換するための受信側モジュール２０が接続されている。
【０００４】
このようなシステムにおいては、送信側モジュール１０の発光部の光軸と、受信側モジュール２０の受光部の光軸とを一致させる必要がある。このような調整を光軸合わせということにする。
【０００５】
従来、このように光軸合わせを行う方法としては、送信側モジュールから非可視光のレーザ光と同一光軸で可視光のレーザ光を出射させるとともに、受信側モジュールの受光部の前面に反射板を置き、反射板上の可視光のレーザ光の反射点が受光部の中心となるように、送信側モジュールおよび受信側モジュールの方向を調整するものがある（特開昭６２−１１０３３９号公報参照）。この従来方法では、反射板が必要となる。
【特許文献１】特開昭６２−１１０３３９号公報
【発明の開示】
【発明が解決しようとする課題】
【０００６】
この発明は、反射板を使用することなく光軸合わせを行うことができる映像伝送システムおよび映像伝送システムにおける光軸合わせ方法を提供することを目的とする。
【課題を解決するための手段】
【０００７】
請求項１に記載の発明は、映像信号を非可視光レーザに変換して出力するための送信側モジュールと、送信側モジュールから出力された非可視光レーザを受光して映像信号に変換するための受信側モジュールとを備えた映像伝送システムにおいて、受信側モジュールには、非可視光レーザの受光部の光軸と同一光軸で可視光レーザを出射させる可視光レーザ出力手段が設けられており、送信側モジュールには、非可視光レーザの出射口の周囲に光軸合わせ時において可視光レーザを入射させるべき領域を規定するための印が付けられていることを特徴とする。
【０００８】
請求項２に記載の発明は、請求項１に記載の発明において、非可視光レーザの出射口の周囲に光軸合わせ時において可視光レーザを入射させるべき領域を規定するための印は、非可視光レーザの出射口を囲むように付けられた丸印であることを特徴とする。
【０００９】
請求項３に記載の発明は、映像信号を非可視光レーザに変換して出力するための送信側モジュールと、送信側モジュールから出力された非可視光レーザを受光して映像信号に変換するための受信側モジュールとを備えた映像伝送システムにおける光軸合わせ方法において、受信側モジュールに、非可視光レーザの受光部の光軸と同一光軸で可視光レーザを出射させる可視光レーザ出力手段を設け、送信側モジュールに、非可視光レーザの出射口の周囲に光軸合わせ時において可視光レーザを入射させるべき領域を規定するための印を付けておき、可視光レーザ出力手段によって可視光レーザを出射させ、印によって規定される領域内に可視光レーザが入射するように、送信側モジュールの非可視光レーザの発光部の光軸を調整することを特徴とする。
【００１０】
請求項４に記載の発明は、請求項３に記載の発明において、非可視光レーザの出射口の周囲に光軸合わせ時において可視光レーザを入射させるべき領域を規定するための印は、非可視光レーザの出射口を囲むように付けられた丸印であることを特徴とする。
【発明の効果】
【００１１】
この発明によれば、反射板を使用することなく光軸合わせを行うことができるようになる。
【発明を実施するための最良の形態】
【００１２】
以下、図２〜図１２を参照して、この発明の実施の形態について説明する。
【実施例】
【００１３】
図２は、非可視光レーザを使って、ＰＣ（映像ソース機器）側から映像を液晶プロジェクタ（映像表示機器）側に無線伝送する映像伝送システムを示している。
【００１４】
ＰＣ１側には、ＰＣ１から出力される映像信号を非可視光レーザに変換して出力するための送信側モジュール１００が接続されている。液晶プロジェクタ２側には、送信側モジュール１００から出力された非可視光レーザを受信して映像信号に変換するための受信側モジュール２００が接続されている。
【００１５】
図３は、送信側モジュール１００の構成を示している。
【００１６】
送信側モジュール１００には、ＰＣ１からデジタルＲＧＢ信号（ＴＭＤＳ（Transition Minimized Differential Signaling)）またはアナログＲＧＢ信号が入力される。送信側モジュール１００は、デジタルＲＧＢ信号またはアナログＲＧＢ信号が入力されるデジタル伝送インタフェース（ＤＶＩ−Ｉ）１０１、デジタル伝送インタフェース（ＤＶＩ−Ｉ）１０１を介して入力されたＴＭＤＳまたはアナログＲＧＢ信号を、ＲＧＢ２４ビットのデジタル信号に変換して出力するためのＩＣ１０２、ＩＣ１０２の出力をＹＣ１６ビットに変換するＦＰＧＡ１０３、ＦＰＧＡ１０３の出力をシリアルの信号に変換するＴＩシリアライザ（パラレル／シリアル変換器）１０４、ＴＩシリアライザ１０４の出力を非可視光レーザ（赤外線レーザ）に変換して出力する非可視光レーザ発光モジュール（非可視光レーザ発光部）１０５等を備えている。
【００１７】
図４は、受信側モジュール２００の構成を示している。
【００１８】
受信側モジュール２００は、送信側モジュール１００から出力された可視光レーザ（赤外線レーザ）を受光して電気信号に変換する非可視光レーザ受光モジュール（非可視光レーザ受光部）２０１、非可視光レーザ受光モジュール２０１の出力信号をパラレルの信号（ＹＣ１６ビット）に変換するＴＩデシリアライザ（シリアル／パラレル変換器）２０２、ＴＩデシリアライザ２０２の出力（ＹＣ１６ビット）をＲＧＢ２４ビットに変換するＦＰＧＡ２０３、ＦＰＧＡ２０３の出力をＴＭＤＳに変換するＤＶＩトランスミッタ２０４、ＤＶＩトランスミッタ２０４から出力されるＴＭＤＳを液晶プロジェクタ３側に出力するためのデジタル伝送インタフェース（ＤＶＩ−Ｄ）２０５等を備えている。
【００１９】
受信側モジュール２００には、さらに、光軸合わせを行うために使用される可視光レーザを出力するための可視光レーザ発光モジュール２１２およびそのオンオフを制御するための駆動制御回路２１１を備えている。図示は省略されているが、受信側モジュール２００には、可視光レーザ発光モジュール２１２から出射された可視光レーザを、非可視光レーザ受光モジュール２０１の光軸と同一光軸で出力させるための光学系が設けられている。
【００２０】
この実施例では、送信側モジュール１００の非可視光レーザ発光モジュール１０５は、送信側モジュール１００の本体に回転可能にかつ各回転位置で保持可能に取り付けられた球面体形状の可動体１２０（図２参照）に保持されており、可動体１２０を回転させることによって、非可視光レーザ発光モジュール１０５の光軸の方向を調整できるようになっている。
【００２１】
同様に、受信側モジュール２００の非可視光レーザ受光モジュール２０１および可視光レーザ発光モジュール２１２は、受信側モジュール２００の本体に回転可能にかつ各回転位置で保持可能に取り付けられた球面体形状の可動体２２０（図２参照）に保持されており、可動体２２０を回転させることによって、非可視光レーザ受光モジュール２０１の光軸の方向を調整できるようになっている。
【００２２】
図５は、送信側モジュール１００の可動体１２０を送信側モジュール１００の正面側から見た図を示している。可動体１２０には、非可視光レーザ出射口を形成する透明窓１２１が形成されているとともに、非可視光レーザ出射口を形成する透明窓１２１の周囲に、光軸合わせ時において可視光レーザを入射させるべき領域を規定するための丸印１２２が記されている。丸印１２２で囲まれた領域が、光軸合わせ時において可視光レーザを入射させるべき領域である。
【００２３】
図６は、受信側モジュール２００の可動体２２０を受信側モジュール２００の正面側から見た図を示している。可動体２２０には、非可視光レーザ受光口および可視光レーザ用出射口を形成する透明窓２２１が形成されている。
【００２４】
このような映像伝送システムにおいて、送信側モジュール１００の非可視光レー発光モジュール１０５の光軸と、受信側モジュール２００の非可視光レーザ受光モジュール２０１の光軸を一致させる方法（光軸合わせ方法）について説明する。
【００２５】
まず、受信側モジュール２００内の可視光レーザ発光モジュール２１２をオン状態にさせる。これにより、図２に実線ａで示すように、受信側モジュール２００から、受信側モジュール２００内の非可視光レーザ受光モジュール２０１の光軸と同一光軸で、可視光レーザが出射される。ユーザは、可視光レーザａが送信側モジュール１００の可動体１２０上の丸印１２２で囲まれた領域に当たるように、送信側モジュール１００の位置、可動体１２０の回転位置等を調整する。これにより、送信側モジュール１００の非可視光レーザ発光モジュール１０５の光軸と、受信側モジュール２００の非可視光レーザ受光モジュール２０１の光軸とが一致する。
【００２６】
このようにして光軸合わせが終了すると、受信側モジュール２００内の可視光レーザ発光モジュール２１２をオフ状態にさせる。この後、映像伝送を開始させると、図２に破線ｂで示すように、送信側モジュール１００内の非可視光レーザ発光モジュール１０５から出射された非可視光レーザが受信側モジュール２００内の非可視光レーザ受光モジュール２０１に受光されるようになる。
【００２７】
液晶プロジェクタ２および受信側モジュール２００は、天井に吊り下げられた状態で設置されることがあるが、その場合でも、軸合わせ調整時には、送信側モジュール１００の位置、送信側モジュール１００側の可動体１２０の回転位置を調整するだけでよいので、調整が容易である。
【００２８】
図７〜図９は、液晶プロジェクタ２および受信側モジュール２００とからなる受信側機器と、ＰＣ１と送信側モジュール１００とからなる送信側機器との配置例を示している。      
【００２９】
図７は、受信側機器が天井に吊り下げられており、送信側機器が机等の上に置かれている場合の配置例を示している。
【００３０】
図８は、受信側機器が天井に吊り下げられており、送信側モジュール１００が受信側モジュール２００と同じ高さ位置で壁に取り付けられており、ＰＣ１が机等の上に置かれている場合の配置例を示している。
【００３１】
図９は、受信側機器と送信側機器とが離れた位置にある場合に、鏡３００（またはリピータ）を介して、非可視光レーザおよび可視光レーザを伝送するようにした例を示している。
【００３２】
次に、受信側モジュール２００に設けられた可視光レーザ発光モジュール２１２をオンオフさせるための指令を、駆動制御回路２１１に与える方法について説明する。
【００３３】
（１）第１方法
第１方法は、リモコン送信機を用いて、可視光レーザ発光モジュール２１２をオンオフさせる方法である。図１０に示すように、受信側モジュール２００にリモコン信号受信部２３１を設けるとともに、可視光レーザ発光モジュール２１２をオンオフさせるためのリモコン信号を送信できるリモコン信号送信機２３２を用意する。リモコン信号送信機２３２としては、赤外線のリモコン信号を出力するものを用いてもよいし、無線電波のリモコン信号を出力するものを用いてもよい。
【００３４】
リモコン送信機２３２には、可視光レーザ発光モジュール２１２をオンさせるためのオンボタンとオフさせるためのオフボタンとを設ける。オンボタンが押されると、リモコン信号送信機２３２は、オンコマンドを表すリモコン信号を出力し、オフボタンが押されるとリモコン信号送信機２３２は、オフコマンドを表すリモコン信号を出力する。
【００３５】
リモコン信号送信機２３２から出力されたリモコン信号は、受信側モジュール２００内のリモコン信号受信部２３１を介して、受信側モジュール２００内の駆動制御回路２１１に供給される。駆動制御回路２１１は、リモコン信号受信部２３１を介して送られてきたリモコン信号がオンコマンドを表すリモコン信号である場合には、可視光レーザ発光モジュール２１２をオン状態にさせる。駆動制御回路２１１は、リモコン信号受信部２３１を介して送られてきたリモコン信号がオフコマンドを表すリモコン信号である場合には、可視光レーザ発光モジュール２１２をオフ状態にさせる。
【００３６】
（２）第２方法
第２方法は、送信側モジュール１００側に受信側モジュール２００内の可視光レーザ発光モジュール２１２をオンオフさせるためのリモコン信号を発生する装置を設ける方法である。図１１に示すように、受信側モジュール２００にリモコン信号受信部２３１を設けるとともに、送信側モジュール１００側に図示しないリモコン信号発生部と、リモコン信号発生部からオンコマンドを表すリモコン信号を発生させるためのボタン１３１とを設ける。リモコン信号発生部としては、赤外線のリモコン信号を出力するものを用いてもよいし、無線電波のリモコン信号を出力するものを用いてもよい。
【００３７】
この例では、受信側モジュール２００内の駆動制御回路２１１は、リモコン信号発生部からオンコマンドを表すリモコン信号が受信されている間のみ、可視光レーザ発光モジュール２１２をオン状態にさせる。したがって、ボタン１３１が押されている間、可視光レーザ発光モジュール２１２がオン状態となり、ボタン１３１が離されると、可視光レーザ発光モジュール２１２がオフとなる。
【００３８】
（３）第３方法
第３方法は、受信側モジュール２００が非可視光レーザを受信していないときに可視光レーザ発光モジュール２１２をオン状態とし、受信側モジュール２００が非可視光レーザを受信しているときに、可視光レーザ発光モジュール２１２をオフ状態とする方法である。図１２に示すように、受信側モジュール２００内に、受信側モジュール２００が非可視光レーザを受信しているか否かを判定する判定回路２１０を設ける。この判定回路２１０は、ＴＩデシリライザ２０２が受信信号の同期信号からクロックを再生できたか否かを判定することによって、受信側モジュール２００が非可視光レーザを受信しているか否かを判定する。
【００３９】
判定回路２１０は、受信側モジュール２００が非可視光レーザを受信していないと判定したときには、駆動制御回路２１１にオン指令を出力することにより、可視光レーザ発光モジュール２１２をオン状態とする。判定回路２１０は、受信側モジュール２００が非可視光レーザを受信していると判定したときには、駆動制御回路２１１にオフ指令を出力することにより、可視光レーザ発光モジュール２１２をオフ状態とする。
【図面の簡単な説明】
【００４０】
【図１】非可視光レーザを使ってＰＣ側から映像を液晶プロジェクタ側に無線伝送する従来の映像信号伝送システムの構成を示す模式図である。
【図２】非可視光レーザを使って、ＰＣ側から映像を液晶プロジェクタ側に無線伝送する本実施例の映像伝送システムを示す模式図である。
【図３】送信側モジュール１００の構成を示すブロック図である。
【図４】受信側モジュール２００の構成を示すブロック図である。
【図５】送信側モジュール１００の可動体１２０を送信側モジュール１００の正面側から見た正面図である。
【図６】受信側モジュール２００の可動体２２０を受信側モジュール２００の正面側から見た正面図である。
【図７】液晶プロジェクタ２および受信側モジュール２００とからなる受信側機器と、ＰＣ１と送信側モジュール１００とからなる送信側機器との配置例を示す模式図である。
【図８】液晶プロジェクタ２および受信側モジュール２００とからなる受信側機器と、ＰＣ１と送信側モジュール１００とからなる送信側機器との配置例の他の例を示す模式図である。
【図９】液晶プロジェクタ２および受信側モジュール２００とからなる受信側機器と、ＰＣ１と送信側モジュール１００とからなる送信側機器との配置例のさらに他の例を示す模式図である。
【図１０】受信側モジュール２００に設けられた可視光レーザ発光モジュール２１２をオンオフさせるための指令を、駆動制御回路２１１に与える第１方法を示す模式図である。
【図１１】受信側モジュール２００に設けられた可視光レーザ発光モジュール２１２をオンオフさせるための指令を、駆動制御回路２１１に与える第２方法を示す模式図である。
【図１２】受信側モジュール２００に設けられた可視光レーザ発光モジュール２１２をオンオフさせるための指令を、駆動制御回路２１１に与える第３方法を示すブロック図である。
【符号の説明】
【００４１】
１  ＰＣ
２  液晶プロジェクタ
１００  送信側モジュール
２００  受信側モジュール
２１２  可視光レーザ発光モジュール
【図１】
2005109730.tif 000003
【図２】
2005109730.tif 000004
【図３】
2005109730.tif 000005
【図４】
2005109730.tif 000006
【図５】
2005109730.tif 000007
【図６】
2005109730.tif 000008
【図７】
2005109730.tif 000009
【図８】
2005109730.tif 000010
【図９】
2005109730.tif 000011
【図１０】
2005109730.tif 000012
【図１１】
2005109730.tif 000013
【図１２】
2005109730.tif 000014